(57)【要約】【課題】モバイルアクセスポイント（ＡＰ）を通した外部のデータネットワークの使用を制御する方法及びデバイスを提供する。【解決手段】モバイルＡＰとして設定されるホストデバイスは、データレスモードが設定されるか否かを判定し、データレスモードが設定される場合には、クライアントデバイスがモバイルＡＰを通した外部のデータネットワークを使用することを遮断し、データレスモードが解除される場合には、クライアントデバイスがモバイルＡＰを通した外部のデータネットワークを使用することを許容する。モバイルＡＰに接続されたクライアントデバイスは、データレスモードがモバイルＡＰとして設定されたホストデバイスに設定されるか否かを判定し、データレスモードが設定される場合には、無線データネットワークへの接続を維持し、データレスモードが解除された場合には、無線データネットワークへの接続を解除する。【選択図】図３
2014179982.tif 000002
【特許請求の範囲】
【請求項１】
外部のデータネットワークの使用を制御する方法であって、
モバイルアクセスポイント（ＡＰ）として設定されたホストデバイスにより前記モバイルアクセスポイントを通したクライアントデバイスの外部のデータネットワークの使用を制御する方法であって、
データレスモードが設定されるか否かを判定するステップと、
前記データレスモードが設定される場合に、前記モバイルアクセスポイントを通した前記クライアントデバイスの外部のデータネットワークの使用を遮断するステップと、
前記データレスモードが解除される場合に前記モバイルアクセスポイントを通した前記クライアントデバイスの外部のデータネットワークの使用を許容するステップと、
を有することを特徴とする方法。
【請求項２】
前記データレスモードは、各クライアントデバイス及び各データ共有アプリケーションの中の少なくとも１つに基づいて設定され解除されることを特徴とする請求項１に記載の方法。
【請求項３】
許容される使用量が各クライアントデバイスに設定される場合に、外部のデータネットワークの使用量が前記許容される使用量より少ないクライアントデバイスに対して前記データレスモードを解除するステップと、
前記外部のデータネットワーク使用量が前記許容される使用量に到達したクライアントデバイスに対して前記データレスモードを設定するステップと、
をさらに有することを特徴とする請求項１又は２に記載の方法。
【請求項４】
許容される使用量が各クライアントデバイスに設定される場合に、前記データ共有アプリケーションの外部のデータネットワーク使用量が許容される使用量より少ないクライアントデバイスに対して前記データレスモードを解除するステップと、
前記外部のデータネットワーク使用量が前記許容される使用量に到達したクライアントデバイスに対して前記データレスモードを設定するステップと、
をさらに有することを特徴とする請求項１又は２に記載の方法。
【請求項５】
前記データレスモードが設定される場合に固定アクセスポイントに接続される時に前記データレスモードを解除するステップと、
前記固定アクセスポイントに対する接続が解除される時に前記データレスモードを設定するステップと、
をさらに有することを特徴とする請求項１乃至４のいずれか１項に記載の方法。
【請求項６】
前記データレスモードが設定されるか否かを前記クライアントデバイスに通知するステップをさらに有することを特徴とする請求項１乃至５のいずれか１項に記載の方法。
【請求項７】
前記データレスモードの設定状態を、モバイルアクセスポイント指示子を通して表示するステップをさらに有することを特徴とする請求項１乃至６のいずれか１項に記載の方法。
【請求項８】
モバイルアクセスポイント（ＡＰ）に接続されたクライアントデバイスにより、前記モバイルアクセスポイントを通した外部のデータネットワークの使用を制御する方法であって、
無線データネットワークに接続される状態で前記クライアントデバイスがホストデバイスに接続される場合に、データレスモードが前記モバイルアクセスポイントとして設定された前記ホストデバイスに設定されるか否かを判定するステップと、
前記データレスモードが設定される場合に前記無線データネットワークへの接続を維持するステップと、
前記データレスモードが解除される場合に前記無線データネットワークへの接続を解除するステップと
を有することを特徴とする方法。
【請求項９】
前記無線データネットワークに接続される状態で前記クライアントデバイスが前記モバイルアクセスポイントとして設定されたホストデバイスに接続される場合に、現在の動作モードがデータ共有アプリケーションモードであるか否かを判定するステップと、
前記現在の動作モードが前記データ共有アプリケーションモードである場合に前記無線データネットワークへの接続を維持するステップと、
前記現在の動作モードが前記データ共有アプリケーションモードでない場合に前記無線データネットワークへの接続を解除するステップと、
をさらに有することを特徴とする請求項８に記載の方法。
【請求項１０】
前記データレスモードが設定されるか否かを判定するステップは、
前記モバイルアクセスポイントを通して特定のウェブページについてピング動作を実行するステップと、
前記ピング動作に対する応答が受信されるか否かに基づいて、前記データレスモードが前記ホストデバイスに設定されるか否かを判定するステップと、
を有することを特徴とする請求項８又は９に記載の方法。
【請求項１１】
前記ピング動作を実行するステップは、前記特定のウェブページのハイパテキスト転送プロトコル（ＨＴＴＰ）アドレスを使用して前記ピング動作を実行するステップを有し、
前記特定のウェブページは、前記クライアントデバイスが最も間近にアクセスしたウェブページ、最も頻繁に訪問するウェブページ、及びホームページとして設定されたウェブページの中のいずれか１つであることを特徴とする請求項１０に記載の方法。
【請求項１２】
前記データレスモードが設定されるか否かを判定するステップは、
前記モバイルアクセスポイントを通して予め定められた外部のネットワークサーバに対してピング動作を実行するステップと、
前記ピング動作に対する応答が受信されるか否かに基づいて、前記データレスモードが前記ホストデバイスに設定されるか否かを判定するステップと、
を有することを特徴とする請求項８又は９に記載の方法。
【請求項１３】
前記データレスモードが設定されるか否かを判定するステップは、
前記ホストデバイスから前記データレスモードが設定されるか否かに関する通知を受信するステップと、
前記通知に基づいて前記データレスモードが前記ホストデバイスに設定されるか否かを判定するステップと、
を有することを特徴とする請求項８又は９に記載の方法。
【請求項１４】
前記データレスモードの設定状態を、モバイルアクセスポイント指示子を通して表示するステップをさらに有することを特徴とする請求項８乃至１３のいずれか１項に記載の方法。
【請求項１５】
モバイルアクセスポイント（ＡＰ）のクライアントデバイスにより前記モバイルアクセスポイントを通した外部のデータネットワークの使用を制御する方法であって、
無線データネットワークに接続される状態で前記クライアントデバイスが前記モバイルアクセスポイントとして設定されたホストデバイスに接続される場合に、現在の動作モードがデータ共有アプリケーションモードであるか否かを判定するステップと、
前記現在の動作モードが前記データ共有アプリケーションモードである場合に前記無線データネットワークへの接続を維持するステップと、
前記現在の動作モードが前記データ共有アプリケーションモードでない場合に前記無線データネットワークへの接続を解除するステップと、
を有することを特徴とする方法。
【請求項１６】
モバイルアクセスポイント（ＡＰ）として設定されたホストデバイスであって、
クライアントデバイスと無線近距離通信に基づくモバイルアクセスポイントネットワークを形成する無線近距離通信部と、
前記モバイルアクセスポイントネットワークに対して外部のデータネットワークである無線データネットワークと無線データ通信を実行する無線通信部と、
データレスモードが設定される場合には、前記クライアントデバイスの前記無線データネットワークの使用を遮断し、前記データレスモードが解除される場合には、前記クライアントデバイスの前記無線データネットワークの使用を許容するコントローラと、
を有することを特徴とするホストデバイス。
【請求項１７】
前記データレスモードは、各クライアントデバイス及び各データ共有アプリケーションの中の少なくとも１つに基づいて設定され解除されることを特徴とする請求項１６に記載のホストデバイス。
【請求項１８】
前記コントローラは、許容される使用量が各クライアントデバイスに設定される場合に、外部のデータネットワーク使用量が前記許容される使用量より少ないクライアントデバイスに対しては、前記データレスモードを解除し、前記外部のデータネットワーク使用量が前記許容される使用量に到達したクライアントデバイスに対しては、前記データレスモードを設定することを特徴とする請求項１６又は１７に記載のホストデバイス。
【請求項１９】
前記コントローラは、許容される使用量が各データ共有アプリケーションに設定される場合に、前記データ共有アプリケーションの外部のデータネットワーク使用量が前記許容される使用量より少ないクライアントデバイスに対しては、前記データレスモードを解除し、前記データ共有アプリケーションの外部のデータネットワーク使用量が前記許容される使用量に到達したクライアントデバイスに対しては、前記データレスモードを設定することを特徴とする請求項１６又は１７に記載のホストデバイス。
【請求項２０】
無線近距離通信を通して固定アクセスポイントに接続された無線近距離通信部をさらに有し、
前記コントローラは、前記データレスモードが設定される場合に、前記固定アクセスポイントに接続される時には、前記データレスモードを解除し、前記固定アクセスポイントへの接続が解除される時には、前記データレスモードを設定することを特徴とする請求項１６乃至１９のいずれか１項に記載のホストデバイス。
【請求項２１】
前記コントローラは、前記データレスモードが設定されるか否かを前記クライアントデバイスに通知することを特徴とする請求項１６乃至２０のいずれか１項に記載のホストデバイス。
【請求項２２】
前記モバイルアクセスポイントの動作状態を示すモバイルアクセスポイント指示子を通して前記データレスモードの設定状態を前記コントローラの制御の下に表示するディスプレイをさらに有することを特徴とする請求項１６乃至請求項２１のいずれか１項に記載のホストデバイス。
【請求項２３】
モバイルアクセスポイント（ＡＰ）に接続されるクライアントデバイスであって、
前記モバイルアクセスポイントとして設定されたホストデバイスと無線近距離通信に基づくモバイルアクセスポイントネットワークを形成する無線近距離通信部と、
無線データネットワークと無線データ通信を実行する無線通信部と、
前記無線データネットワークに接続される状態で前記クライアントデバイスが前記ホストデバイスに接続される場合に、データレスモードが前記ホストデバイスに設定されるか否かを判定し、前記データレスモードが設定される場合には、前記無線データネットワークへの接続を維持し、前記データレスモードが解除される場合には、前記無線データネットワークへの接続を解除するコントローラと、
を有することを特徴とするクライアントデバイス。
【請求項２４】
前記コントローラは、前記無線データネットワークに接続される状態で前記クライアントデバイスが前記モバイルアクセスポイントとして設定されたホストデバイスに接続される場合に、現在の動作モードがデータ共有アプリケーションモードであるか否かを判定し、前記現在の動作モードが前記データ共有アプリケーションモードである場合には、前記無線データネットワークへの接続を維持し、前記現在の動作モードが前記データ共有アプリケーションモードでない場合には、前記無線データネットワークへの接続を解除することを特徴とする請求項２３に記載のクライアントデバイス。
【請求項２５】
前記コントローラは、前記モバイルアクセスポイントを通して特定のウェブページに対してピング動作を実行し、前記ピング動作に対する応答が受信されるか否かに基づいて、前記データレスモードが前記ホストデバイスに設定されるか否かを判定することを特徴とする請求項２３又は２４に記載のクライアントデバイス。
【請求項２６】
前記コントローラは、 前記特定のウェブページのハイパテキスト転送プロトコル（ＨＴＴＰ）アドレスを使用して前記ピング動作を実行し、
前記特定のウェブページは、前記クライアントデバイスが最も間近にアクセスしたウェブページ、最も頻繁に訪問するウェブページ、及びホームページとして設定されたウェブページの中のいずれか１つであることを特徴とする請求項２５に記載のクライアントデバイス。
【請求項２７】
前記コントローラは、前記モバイルアクセスポイントを通して予め定められた外部のネットワークサーバに対してピング動作を実行し、前記ピング動作に対する応答が受信されるか否かに基づいて、前記データレスモードが前記ホストデバイスに設定されるか否かを判定することを特徴とする請求項２３又は２４に記載のクライアントデバイス。
【請求項２８】
前記コントローラは、前記ホストデバイスから前記データレスモードが設定されるか否かに関する通知を受信し、前記通知に基づいて、前記データレスモードが前記ホストデバイスに設定されるか否かを判定することを特徴とする請求項２３又は２４に記載のクライアントデバイス。
【請求項２９】
前記モバイルアクセスポイントの動作状態を示すモバイルアクセスポイント指示子を通して前記データレスモードの設定状態を表示するディスプレイをさらに有することを特徴とする請求項２３乃至２８のいずれか１項に記載のクライアントデバイス。
【請求項３０】
モバイルアクセスポイントのクライアントデバイスであって、
前記モバイルアクセスポイントとして設定されたホストデバイスと無線近距離通信に基づくモバイルアクセスポイントネットワークを形成する無線近距離通信部と、
無線データネットワークと無線データ通信を実行する無線通信部と、
前記無線データネットワークに接続される状態で前記クライアントデバイスが前記モバイルアクセスポイントとして設定されたホストデバイスに接続される場合に、現在の動作モードがデータ共有アプリケーションモードであるか否かを判定し、前記現在の動作モードが前記データ共有アプリケーションモードである場合には、前記無線データネットワークへの接続を維持し、前記現在の動作モードが前記データ共有アプリケーションモードでない場合には、前記無線データネットワークへの接続を解除するコントローラと
を有することを特徴とするクライアントデバイス。
【発明の詳細な説明】
【技術分野】
【０００１】
本発明は、モバイルアクセスポイント（Access Point、ＡＰ）に関し、特に、クライアントデバイスがモバイルＡＰを通した外部のデータネットワークを使用することを制御する方法及びデバイスに関する。
【背景技術】
【０００２】
近来では、Ｗｉ−Ｆｉ（Wireless-Fidelity）（登録商標）のような無線ローカルエリアネットワークエリア（Wireless Local Network Area、ＷＬＡＮ）接続をサポートする様々なモバイルデバイスが市場に発表された。しかしながら、ＷＬＡＮは移動性に限界があって、ユーザは、移動の間にＷＬＡＮを使用することができない。
【０００３】
近年発表されたスマートフォンのような移動端末は、主にモバイルＡＰ機能を有する。モバイルＡＰ機能は、移動端末をＡＰとして使用できるようにする。モバイルＡＰ機能は、パーソナルコンピュータ（ＰＣ）のようなデバイスがモバイルＡＰに接続できるようにし、モバイルＡＰが登録された汎用パケット無線サービス（General Packet Radio Service、ＧＰＲＳ）、広帯域符号分割多重接続（Wideband Code Division Multiple Access、ＷＣＤＭＡ(登録商標)）、又はロングタームエボルーション（Long-Term Evolution、ＬＴＥ）のような無線データネットワークを通してインターネットにアクセスできるようにするテザリング（Tethering）機能に無線能力を付加する。モバイルＡＰ機能は、通常に、‘Ｗｉ−Ｆｉテザリング'、‘Ｗｉ−Ｆｉホットスポット'、又は‘携帯用ホットスポット’とも呼ばれる。
【０００４】
モバイルＡＰ機能を備える移動端末は、モバイルＡＰ機能が設定されると、モバイルＡＰとして動作し、モバイルＡＰの周辺にホットスポットが形成される。このように形成されたホットスポットにおいて、モバイルＡＰと接続された少なくとも１つのデバイスは、モバイルＡＰと通信することができ、また、モバイルＡＰを通して無線データネットワークに接続することによりインターネットにアクセスできる。この場合に、モバイルＡＰとして設定されたスマートフォンのような移動端末がホストデバイスであり、モバイルＡＰと接続されたラップトップコンピュータ、タブレットコンピュータ、又はスマートフォンのようなデバイスは、クライアントデバイスである。モバイルＡＰとクライアントデバイス間の接続に対しては、ＷＬＡＮ、ブルートゥース（Bluetooth(登録商標)）、又はＲＦＩＤ（Radio Frequency Identification、無線周波数識別）のような無線近距離通信が使用される。一般的に、ＷＬＡＮであるＷｉ−Ｆｉは、モバイルＡＰとクライアントデバイス間の接続のために幅広く使用される。
【０００５】
一般的に、無線データネットワークに関する料金システムは、送信されるパケットの量に基づいて課金される。したがって、移動端末のユーザは、インターネットへのアクセスを希望する場合に、自身の移動端末が登録された無線データネットワークを使用する代わりに、有線データネットワークのように、安価であるか又は無料の外部のデータネットワークと接続されたＷＬＡＮが使用可能である場合に、ＷＬＡＮを使用してインターネットにアクセスする。例えば、移動端末のユーザは、外部のデータネットワークを通してインターネットへのアクセスが可能なＷＬＡＮ  ＡＰに移動端末を接続した後に、この接続されたＷＬＡＮ  ＡＰを通して外部のデータネットワークを使用してインターネットにアクセスする。
【０００６】
通常、無線データネットワークと接続された移動端末がＷＬＡＮ  ＡＰに接続され、したがって、ＷＬＡＮ  ＡＰを通して外部のデータネットワークを使用することができる場合に、移動端末は、無線データネットワークとの接続を解除する。その後、移動端末は、ＷＬＡＮ  ＡＰを通して外部のデータネットワークをこれ以上使用することができない場合に、ＷＬＡＮ  ＡＰへの接続を解除し、無線データネットワークにさらに接続する。
【０００７】
同様に、スマートフォンのような移動端末が無線データネットワークと接続されている状態で、クライアントデバイスとしてモバイルＡＰに接続される場合に、クライアントデバイスは、無線データネットワークとの接続を解除する。このような状態において、インターネットへの接続が要求される場合に、クライアントデバイスは、接続解除された無線データネットワークを使用する代わりに、モバイルＡＰを通した外部のデータネットワークを用いてインターネットにアクセスする。
【０００８】
上述したように、クライアントデバイスがモバイルＡＰに接続される場合に、インターネットへのクライアントデバイスのアクセスは、常にモバイルＡＰの外部のデータネットワークを使用してなされる。その結果、クライアントデバイスによる外部のデータネットワークの使用に対する課金対象は、ホストデバイスとして動作する移動端末である。モバイルＡＰの外部のデータネットワークが外部の無線データネットワークである場合に、ホストデバイスのユーザは、追加の無線データ料金を請求されることがある。特に、ホストデバイスが無制限のデータプランに加入するためにデータ課金に負担がない限り、ホストデバイスのユーザは、クライアントデバイスによる外部の無線データネットワークの使用に対する追加の無線データ料金を請求される。
【先行技術文献】
【特許文献】
【０００９】
【特許文献１】韓国特許出願公開第２００５−００９０１３６号公報
【発明の概要】
【発明が解決しようとする課題】
【００１０】
したがって、本発明は、少なくとも上述した問題点及び／又は課題に取り組み、少なくとも以下の便宜を提供することにある。すなわち、本発明の目的は、モバイルアクセスポイント（ＡＰ）を通したクライアントデバイスの外部のデータネットワークの使用を制御することができる方法及びデバイスを提供することにある。
【００１１】
本発明の他の目的は、モバイルアクセスポイント（ＡＰ）を通したクライアントデバイスの外部のデータネットワークの使用を選択的に遮断するか又は許容することができる方法及びデバイスを提供することにある。
【００１２】
本発明のまた他の目的は、モバイルＡＰを通したクライアントデバイスの外部のデータネットワークの使用を外部のデータネットワークへのホストデバイスの接続の状態に従って自動で遮断するか又は許容することができる方法及びデバイスを提供することにある。
【００１３】
本発明のさらに他の目的は、モバイルＡＰを通したクライアントデバイスの外部のデータネットワークの使用をホストデバイス及びクライアントデバイスの中の少なくとも１つにより選択的に遮断するか又は許容することができる方法及びデバイスを提供することにある。
【００１４】
本発明のさらにまた他の目的は、モバイルＡＰを通したクライアントデバイスの外部のデータネットワークの使用を各クライアントデバイス及び各データ共有アプリケーションの中の少なくとも１つに対して選択的に遮断するか又は許容することができる方法及びデバイスを提供することにある。
【００１５】
本発明のさらなる他の目的は、モバイルＡＰを通したクライアントデバイスの外部のデータ使用量を選択的に制限できる方法及びデバイスを提供することにある。
【００１６】
本発明のさらなるまた他の目的は、モバイルＡＰを通したクライアントデバイスの外部のデータ使用量を各クライアントデバイス及び各データ共有アプリケーションの中の少なくとも１つに対して選択的に制限できる方法及びデバイスを提供することにある。
【００１７】
本発明のさらにその他の目的は、クライアントデバイスがモバイルＡＰに接続される場合に、前に接続された無線データネットワークを継続して使用できるようにする方法及びデバイスを提供することにある。
【課題を解決するための手段】
【００１８】
上記のような目的を達成するために、本発明の一態様によれば、モバイルアクセスポイント（ＡＰ）として設定されたホストデバイスにより上記モバイルアクセスポイントを通したクライアントデバイスの外部のデータネットワークの使用を制御する方法が提供される。上記方法は、データレスモードが設定されるか否かを判定するステップと、上記データレスモードが設定される場合に、上記モバイルアクセスポイントを通した上記クライアントデバイスの外部のデータネットワークの使用を遮断するステップと、上記データレスモードが解除される場合に上記クライアントデバイスの上記モバイルアクセスポイントを通した外部のデータネットワークの使用を許容するステップとを有することを特徴とする。
【００１９】
本発明の他の態様によれば、モバイルアクセスポイント（ＡＰ）に接続されるクライアントデバイスにより上記モバイルアクセスポイントを通した外部のデータネットワークの使用を制御する方法が提供される。上記方法は、無線データネットワークに接続される状態で上記クライアントデバイスがホストデバイスに接続される場合に、データレスモードが上記モバイルアクセスポイントとして設定された上記ホストデバイスに設定されるか否かを判定するステップと、上記データレスモードが設定される場合に上記無線データネットワークへの接続を維持するステップと、上記データレスモードが解除される場合に上記無線データネットワークへの接続を解除するステップとを有することを特徴とする。
【００２０】
本発明のさらに他の態様によれば、モバイルアクセスポイント（ＡＰ）のクライアントデバイスにより上記モバイルアクセスポイントを通した外部のデータネットワークの使用を制御する方法が提供される。上記方法は、無線データネットワークに接続される状態で上記クライアントデバイスが上記モバイルアクセスポイントとして設定されたホストデバイスに接続される場合に、現在の動作モードがデータ共有アプリケーションモードであるか否かを判定するステップと、上記現在の動作モードが上記データ共有アプリケーションモードである場合に上記無線データネットワークへの接続を維持するステップと、上記現在の動作モードが上記データ共有アプリケーションモードでない場合に上記無線データネットワークへの接続を解除するステップとを有することを特徴とする。
【００２１】
本発明のさらなる他の態様によれば、モバイルアクセスポイント（ＡＰ）として設定されたホストデバイスが提供される。上記ホストデバイスは、クライアントデバイスと無線近距離通信に基づくモバイルアクセスポイントネットワークを形成する無線近距離通信部と、上記モバイルアクセスポイントネットワークに対して外部のデータネットワークである無線データネットワークと無線データ通信を実行する無線通信部と、データレスモードが設定される場合には、上記クライアントデバイスの上記無線データネットワークの使用を遮断し、上記データレスモードが解除される場合には、上記クライアントデバイスの上記無線データネットワークの使用を許容するコントローラとを有することを特徴とする。
【００２２】
本発明のさらにまた他の態様によれば、モバイルアクセスポイント（ＡＰ）に接続されたクライアントデバイスが提供される。上記クライアントデバイスは、上記モバイルアクセスポイントとして設定されたホストデバイスと無線近距離通信に基づくモバイルアクセスポイントネットワークを形成する無線近距離通信部と、無線データネットワークと無線データ通信を実行する無線通信部と、上記無線データネットワークに接続される状態で上記クライアントデバイスが上記ホストデバイスに接続される場合に、データレスモードが上記ホストデバイスに設定されるか否かを判定し、上記データレスモードが設定される場合には、上記無線データネットワークへの接続を維持し、上記データレスモードが解除される場合には、上記無線データネットワークへの接続を解除するコントローラとを有することを特徴とする。
【００２３】
本発明のさらにその他の態様によれば、モバイルアクセスポイントのクライアントデバイスが提供される。上記クライアントデバイスは、上記モバイルアクセスポイントとして設定されたホストデバイスと無線近距離通信に基づくモバイルアクセスポイントネットワークを形成する無線近距離通信部と、無線データネットワークと無線データ通信を実行する無線通信部と、上記無線データネットワークに接続される状態で上記クライアントデバイスが上記モバイルアクセスポイントとして設定されたホストデバイスに接続される場合に、現在の動作モードがデータ共有アプリケーションモードであるか否かを判定し、上記現在の動作モードが上記データ共有アプリケーションモードである場合には、上記無線データネットワークへの接続を維持し、上記現在の動作モードが上記データ共有アプリケーションモードでない場合には、上記無線データネットワークへの接続を解除するコントローラとを有することを特徴とする。
【発明の効果】
【００２４】
クライアントデバイスがモバイルＡＰに接続される場合に、モバイルＡＰを通したクライアントデバイスの外部のデータネットワークの使用は、ホストデバイス及びクライアントデバイスの中の少なくとも１つにより選択的に許容されるか又は遮断されることにより、ホストデバイスに不必要な追加の無線データ料金が課金されることを防止する。また、モバイルＡＰを通したクライアントデバイスの外部のデータネットワークの使用が遮断される場合にも、クライアントデバイスは、クライアントデバイスが登録された無線データネットワークへの接続を維持することによりインターネットへのアクセスを可能にする。
【００２５】
本発明の実施形態の上述した及び他の様相、特徴、及び利点は、以下の添付図面が併用された後述の詳細な説明から、より一層明らかになるだろう。
【図面の簡単な説明】
【００２６】
【図１】本発明の実施形態によるモバイルアクセスポイント（ＡＰ）ネットワークの構成を示す図である。
【図２】本発明の実施形態によるホストデバイスの構成を示すブロック図である。
【図３】本発明の実施形態によるホストデバイスのフローチャートである。
【図４】本発明の実施形態によるホストデバイスにおけるデータレス（data-less）モード設定状態を示す図である。
【図５】本発明の実施形態によるホストデバイスのデータレスモード制御を示すフローチャートである。
【図６】本発明の他の実施形態によるホストデバイスのデータレスモード制御を示すフローチャートである。
【図７】本発明の実施形態によるクライアントデバイスの構成を示すブロック図である。
【図８】本発明の実施形態によるクライアントデバイスのフローチャートである。
【図９】本発明の実施形態によるクライアントデバイスにおけるデータレスモード設定状態を示す図である。
【図１０】本発明の他の実施形態によるモバイルＡＰネットワークの構成を示す図である。
【図１１】本発明の他の実施形態によるホストデバイスの構成を示すブロック図である。
【図１２】本発明のもう１つの実施形態によるホストデバイスのデータレスモード制御を示すフローチャートである。
【発明を実施するための形態】
【００２７】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、あくまでも一つの実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【００２８】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２９】
“実質的に(substantially）”という用語は、提示された特徴、パラメータ、又は、値が正確に設定される必要はないが、許容誤差、測定誤り、測定精度限界及び当業者に知られているか、あるいは当業者によって実験なしに得られる要素を含む偏差又は変化が、これらの特性が提供しようとする効果を排除しない範囲内で発生することを意味する。
【００３０】
モバイルアクセスポイント（ＡＰ）として設定されるホストデバイスとモバイルＡＰに接続されたクライアントデバイスとがスマートフォンである例に基づいて本発明の実施形態について説明する。しかしながら、本発明の実施形態は、類似した技術的背景を有する他の装置にも適用されることができる。また、本発明の実施形態は、添付した特許請求の範囲によって規定されるような本発明の精神及び範囲を逸脱することなく、様々な変形、変更、変化、代替、及び同等なものが可能であることは、当該技術分野における通常の知識を持つ者には明らかである。
【００３１】
図１は、本発明の実施形態によるモバイルアクセスポイント（Access Point、ＡＰ）ネットワークの構成を示す図である。
【００３２】
図１を参照すると、モバイルＡＰネットワーク１０４は、ホストデバイス１００及びクライアントデバイス１０２で構成される。モバイルＡＰネットワーク１０４は、モバイルＡＰ機能を有するスマートフォンのような移動端末がモバイルＡＰとして設定されるので、当該移動端末がモバイルＡＰネットワーク１０４のホストデバイス１００として動作する。したがって、本発明の実施形態において、用語‘ホストデバイス'及び‘モバイルＡＰ’は互換可能である。また、クライアントデバイス１０２は、スマートフォンのような移動端末であり、ラップトップコンピュータ、タブレットコンピュータのようなデバイスもクライアントデバイス１０２となり得る。ホストデバイス１００とクライアントデバイス１０２間の接続は、無線ローカルエリアネットワーク（ＷＬＡＮ）、ブルートゥース（Bluetooth(登録商標))、又はＲＦＩＤ（Radio Frequency Identification、無線周波数識別）のような無線近距離通信を使用することができ、ＷＬＡＮであるＷｉ−Ｆｉ（Wireless-Fidelity）（登録商標）は、ホストデバイス１００とクライアントデバイス１０２との間の接続のために使用される。図１において、１つのクライアントデバイス１０２だけがモバイルＡＰネットワーク１０４に含まれているが、複数のクライアントデバイスがモバイルＡＰネットワーク１０４に含まれてもよい。
【００３３】
ホストデバイス１００及びクライアントデバイス１０２は、ホストデバイス１００が登録されたＧＰＲＳ（General Packet Radio Service、汎用パケット無線サービス）、ＷＣＤＭＡ(登録商標)（Wideband Code Division Multiple Access、広帯域符号分割多重アクセス）、ＬＴＥ（Long-Term Evolution、ロングタームエボルーション）のような公衆網である無線データネットワーク１０６を共有することができる。例えば、クライアントデバイス１０２は、ホストデバイス１００を通して無線データネットワーク１０６を使用することができる。このように、クライアントデバイス１０２は、ホストデバイス１００を通して無線データネットワーク１０６を使用することにより、クライアントデバイス１０２に対して、無線データネットワーク１０６は、外部のデータネットワークに対応する。また、Ｗｉ−Ｆｉ及び無線データネットワーク１０６を同時に使用することは、例えば、マルチメディアメッセージサービス（Multi-media Message Service、ＭＭＳ）アプリケーションでも使用される技術により具現化されてもよい。Ｗｉ−Ｆｉを通してデータネットワークを使用する間にＭＭＳアプリケーションを使用する場合に、ＭＭＳアプリケーションにおいて移動端末のアプリケーションプロセッサ（application processor）のアプリケーションプログラムインターフェース（Application Program Interface、ＡＰＩ）を使用してＷｉ−Ｆｉのようなデフォルト接続でないセルラ接続のような他の接続が可能である。Ｗｉ−Ｆｉ及びセルラネットワークを同時に使用することを希望するアプリケーションが対応するＡＰIを呼び出す場合には、２種類の接続を同時に使用することができる。
【００３４】
ホストデバイス１００は、無線データネットワーク１０６だけでなく固定ＡＰに接続されてもよい。固定ＡＰは、有線データネットワークに接続されたＡＰであり、ＷＬＡＮを通して固定ＡＰに接続されたクライアントが有線データネットワークを使用できるようにする伝統的なＷＬＡＮ  ＡＰでもあってもよい。このような場合に、クライアントデバイス１０２は、ホストデバイス１００を通して有線データネットワークとして使用されてもよい。この時に、有線データネットワークは、クライアントデバイス１０２が登録された無線データネットワーク以外の外部のデータネットワークであってもよい。このような場合に関しては、後述する図１０を参照して説明される。
【００３５】
ホストデバイス１００のユーザ及びクライアントデバイス１０２のユーザは、データ共有アプリケーションを使用してモバイルＡＰを通してコンテンツを共有できる。データ共有アプリケーションの使用によって、例えば、多くの人は、各スマートデバイスで同一の画面を見ることができる。スマートデバイスは、スマートＴＶ、ラップトップコンピュータ、タブレットコンピュータ、スマートフォンなどであってもよい。モバイルＡＰを通したデータ共有の他の例としては、マルチプレーヤーゲームなどもある。
【００３６】
データ共有アプリケーションを使用するために、ホストデバイス１００及びクライアントデバイス１０２が接続される場合に、クライアントデバイス１０２は、ホストデバイス１００を通して無線データネットワーク１０６のような外部のデータネットワークを使用することができる。クライアントデバイス１０２が外部のデータネットワークを使用する場合に、上述したように、ホストデバイス１００のユーザは、追加の無線データ料金を請求される。
【００３７】
これに関連して、ホストデバイス１００に対して、データレス（data-less）モードが設定されてもよく又は解除されてもよい。データレスモードは、クライアントデバイス１０２がホストデバイス１００を通して外部のデータネットワークを使用することを制御するためのモードである。ホストデバイス１００にデータレスモードが設定される場合には、ホストデバイス１００は、クライアントデバイス１０２がホストデバイス１００を通して外部のデータネットワークを使用することを遮断（block）する。データレスモードが解除される場合には、ホストデバイス１００は、クライアントデバイス１０２がホストデバイス１００を通して外部のデータネットワークを使用することを許容する。
【００３８】
図２は、本発明の実施形態によるホストデバイスの構成を示すブロック図である。
【００３９】
図２を参照すると、ホストデバイス１００は、スマートフォンのような移動端末である。ホストデバイス１００は、コントローラ２００、無線通信部２０２、Ｗｉ−Ｆｉ部２０４、オーディオ部２０６、メモリ２０８、ディスプレイ２１０、及びキー入力部２１２を含む。
【００４０】
無線通信部２０２は、無線データネットワーク１０６と無線データ通信を実行する。無線近距離通信部であるＷｉ−Ｆｉ部２０４は、クライアントデバイス１０２を含む少なくとも１つのクライアントデバイスと、Ｗｉ−Ｆｉ通信に基づくモバイルＡＰネットワーク１０４を形成する。オーディオ部２０６は、スピーカのようなオーディオ出力デバイス及びマイクロフォンのようなオーディオ入力デバイスを含み、ホストデバイス１００の動作に対応する様々なオーディオ信号の入力及び出力を行う。メモリ２０８は、コントローラ２００の動作のためのプログラムを記憶し、コントローラ２００の動作に伴う様々なデータを記憶する。メモリ２０８は、外部のメモリ及びハードディスクドライブ（Hard Disk Drive、ＨＤＤ）のようなストレージデバイスをさらに含んでもよい。ディスプレイ２１０は、コントローラ２００の動作に伴う画像を表示する。キー入力部２１２は、ユーザからホストデバイス１００の動作のために使用される様々なキー入力をコントローラ２００に提供する。キー入力部２１２は、ディスプレイ２１０上に設置されたタッチスクリーンパネルを含んでもよく、数字及び文字情報を入力するための複数のキー及び様々な機能を設定するための機能キーを含んでもよい。コントローラ２００は、無線通信部２０２、Ｗｉ−Ｆｉ部２０４、オーディオ部２０６、メモリ２０８、ディスプレイ２１０、及びキー入力部２１２を制御することにより、ホストデバイス１００の様々な機能を実行する。コントローラ２００を具現化するためには、一般的な移動端末の主制御部であるアプリケーションプロセッサ（application processor）が外部のデータネットワークの使用を制御する機能を追加で実行できるようにすればよい。
【００４１】
図３は、本発明の実施形態によるホストデバイスのフローチャートである。
【００４２】
図３を参照すると、ホストデバイス１００のコントローラ２００がモバイルＡＰ動作を開始すると、コントローラ２００は、ステップ３００において、データレスモードが設定されるか否かを判定する。ステップ３００において、データレスモードが設定されると判定される場合に、ステップ３０２において、コントローラ２００は、クライアントデバイス１０２がホストデバイス１００を通じて外部のデータネットワークを使用することを遮断する。したがって、ステップ３０４において、クライアントデバイス１０２は、データ共有アプリケーションのデータをホストデバイス１００と共有するが、外部のデータネットワークを使用することができない。
【００４３】
ステップ３００において、データレスモードが設定されないと判定される場合に、ステップ３０６において、コントローラ２００は、クライアントデバイス１０２がホストデバイス１００を通じて外部のデータネットワークを使用することを許容する。したがって、ステップ３０８において、クライアントデバイス１０２は、データ共有アプリケーションのデータだけでなく外部のデータネットワークもホストデバイス１００と共有する。
【００４４】
コントローラ２００は、図４に示すように、ディスプレイ２１０上に表示されるモバイルＡＰ指示子を用いてデータレスモード設定状態を表示することができる。
【００４５】
図４は、本発明の実施形態によるホストデバイスにおけるデータレスモード設定状態を示す図である。
【００４６】
図４を参照すると、参照符号４００は、データレスモードが解除される場合のモバイルＡＰ指示子を示し、参照符号４０２は、データレスモードが設定される場合のモバイルＡＰ指示子を示す。データレスモードが設定される場合に、モバイルＡＰ指示子４０２は、ホストデバイス１００がデータレスモードにあることを示すデータレスモードアイコン４０４を含む。データレスモードアイコン４０４の形態又はカラーは、図４に示すものとは異なるように、具現化されてもよい。このような状態において、データレスモードが解除される場合に、モバイルＡＰ指示子４００のようにデータレスモードアイコン４０４が消える。したがって、ホストデバイス１００のユーザは、データレスモードが設定されるか否かを認識することができる。
【００４７】
ホストデバイス１００に対するデータレスモードの設定又は解除は、ホストデバイス１００のユーザにより実行される。例えば、データレスモードの設定及び解除に関する項目は、通常の移動端末の環境設定メニューに追加されることにより、ユーザがホストデバイス１００のキー入力部２１２を通してデータレスモードを設定するか又は解除するようにすることができる。また、データレスモードは、ホストデバイス１００が登録されたコモンキャリア又は外部の設定により手動又は自動で設定及び解除がなされる。
【００４８】
また、データレスモードは、データ共有アプリケーションの駆動及びモバイルＡＰの駆動に従って自動で設定される。例えば、モバイルＡＰがデータ共有アプリケーションの駆動の後に駆動されるか、又はデータ共有アプリケーションがモバイルＡＰの駆動の間に選択される場合には、データレスモードが自動で設定される。
【００４９】
クライアントデバイスごとに外部のデータネットワークの使用を制限するために、許容される使用量が設定されるか、又はデータ共有アプリケーションごとに外部のデータネットワークの使用を制限するために、許容される使用量が設定される。例えば、各クライアント及び各データ共有アプリケーションの中の少なくともいずれか１つに対して許容される使用量が設定される。許容される使用量は、ホストデバイス１００のユーザ又はホストデバイス１００が登録されたコモンキャリアにより設定されてもよく、又は外部の設定により手動又は自動で設定されてもよい。
【００５０】
図５は、本発明の実施形態によるホストデバイスのデータレスモード制御を示すフローチャートである。
【００５１】
図５を参照すると、各クライアントデバイスに外部のデータネットワークの使用に対する許容される使用量が設定される。ホストデバイス１００のコントローラ２００は、ステップ５００において、クライアントデバイス１０２の外部のデータネットワーク使用量が許容される使用量に到達するか否かを判定する。外部のデータネットワーク使用量が許容される使用量より少ない場合に、コントローラ２００は、ステップ５０２において、クライアントデバイス１０２に対してデータレスモードを解除する。他方、ステップ５００において、外部のデータネットワーク使用量が許容される使用量に到達する場合に、コントローラ２００は、ステップ５０４において、クライアントデバイス１０２に対してデータレスモードを設定する。
【００５２】
したがって、クライアントデバイス１０２の外部のデータネットワーク使用量が許容される使用量に到達するまで、クライアントデバイス１０２の外部のデータネットワークの使用が許容される。しかしながら、クライアントデバイス１０２の外部のデータネットワーク使用量が許容される使用量に到達する場合に、クライアントデバイス１０２の外部のデータネットワークの使用が遮断される。
【００５３】
図５を参照した上述した説明では、１つのクライアントデバイス１０２を一例としているが、クライアントデバイス１０２及び少なくとも１つのクライアントデバイスがモバイルＡＰネットワーク１０４に含まれる場合に、それぞれのクライアントデバイスに対して図５に示す過程が実行される。
【００５４】
図６は、本発明の他の実施形態によるホストデバイスのデータレスモード制御を示すフローチャートである。
【００５５】
図６を参照すると、各データ共有アプリケーションに許容される使用量が設定される。ホストデバイス１００のコントローラ２００は、ステップ６００において、現在のデータ共有アプリケーションによるクライアントデバイス１０２の外部のデータネットワーク使用量が許容される使用量に到達するか否かを判定する。現在のデータ共有アプリケーションによるクライアントデバイス１０２の外部のデータネットワーク使用量が許容される使用量より少ない場合に、コントローラ２００は、ステップ６０２において、クライアントデバイス１０２に対するデータレスモードを解除する。他方、現在のデータ共有アプリケーションによるクライアントデバイス１０２の外部のデータネットワーク使用量が許容される使用量に到達する場合に、コントローラ２００は、ステップ６０４において、クライアントデバイス１０２に対するデータレスモードを設定する。
【００５６】
したがって、各データ共有アプリケーションによるクライアントデバイス１０２の外部のデータネットワーク使用量が許容される使用量に到達するまで、クライアントデバイス１０２の外部のデータネットワークの使用が許容される。しかしながら、各データ共有アプリケーションによるクライアントデバイス１０２の外部のデータネットワーク使用量が許容される使用量に到達する場合に、クライアントデバイス１０２の外部のデータネットワークの使用が遮断される。
【００５７】
図６を参照した上述した説明では、１つのクライアントデバイス１０２を一例としているが、クライアントデバイス１０２だけではなく少なくとも１つのクライアントデバイスがモバイルＡＰネットワーク１０４に含まれる場合に、各データ共有アプリケーションに対するそれぞれのクライアントデバイスに対して、図６に示す過程が実行される。
【００５８】
クライアントデバイス１０２による外部のデータネットワークの使用の制御は、クライアントデバイス１０２に対して自律的に実行される。例えば、データ共有アプリケーションモードが設定されるか否か及びデータレスモードがホストデバイス１００に対して設定されるか否かの少なくとも１つによりクライアントデバイス１０２による外部のデータネットワークの使用が制御される。これについては、図７乃至図９を参照して説明する。
【００５９】
図７は、本発明の実施形態によるクライアントデバイスの構成を示すブロック図である。
【００６０】
図７を参照すると、クライアントデバイス１０２は、スマートフォンのような移動端末であり、コントローラ７００、無線通信部７０２、Ｗｉ−Ｆｉ部７０４、オーディオ部７０６、メモリ７０８、ディスプレイ７１０、及びキー入力部７１２を含む。
【００６１】
無線通信部７０２は、クライアントデバイス１０２が登録された無線データネットワーク（図示せず）との無線データ通信を実行する。無線近距離通信部であるＷｉ−Ｆｉ部７０４は、モバイルＡＰとして設定されたホストデバイス１００と、Ｗｉ−Ｆｉ通信に基づくモバイルＡＰネットワーク１０４を形成する。オーディオ部７０６は、スピーカのようなオーディオ出力デバイス、マイクロフォンのようなオーディオ入力デバイスを含み、クライアントデバイス１０２の動作に伴う様々なオーディオ信号の入力及び出力を行う。メモリ７０８は、コントローラ７００の動作のためのプログラムを記憶し、コントローラ７００の動作に伴う様々なデータを記憶する。メモリ７０８は、外部のメモリ及びＨＤＤのようなストレージデバイスをさらに含む。ディスプレイ７１０は、コントローラ７００の動作に伴う画像を表示する。キー入力部７１２は、ユーザからのクライアントデバイス１０２の動作のための様々なキー入力をコントローラ７００に提供する。キー入力部７１２は、ディスプレイ７１０上に設置されるタッチスクリーンパネルを含み、数字及び文字情報を入力するための複数のキー及び様々な機能を設定するための機能キーを含む。コントローラ７００は、無線通信部７０２、Ｗｉ−Ｆｉ部７０４、オーディオ部７０６、メモリ７０８、ディスプレイ７１０、及びキー入力部７１２を制御することにより、クライアントデバイス１０２の様々な機能を実行する。コントローラ７００を実現するために、一般的な移動端末の主制御部であるアプリケーションプロセッサは、外部のデータネットワークの使用を制御する機能を追加で実行する。
【００６２】
図８は、本発明の実施形態によるクライアントデバイスのフローチャートである。
【００６３】
図８を参照すると、クライアントデバイス１０２のコントローラ７００は、クライアントデバイス１０２が登録された無線データネットワークに無線通信部７０２により接続される際にホストデバイス１００に接続されると、ステップ８００において、現在の動作モードがデータ共有アプリケーションモードであるか否かを判定する。現在の動作モードがデータ共有アプリケーションモードである場合に、コントローラ７００は、ステップ８０２において、データレスモードがホストデバイス１００に対して設定されるか否かを判定する。
【００６４】
例えば、コントローラ７００は、ホストデバイス１００を通して特定のウェブページに対してピング（ping）動作を実行することにより、データレスモードがホストデバイス１００に設定されるか否かを判定する。特定のウェブページは、クライアントデバイス１０２が最も間近近にアクセスしたウェブページ、最も頻繁に訪問するウェブページ、ホームページとして設定されるウェブページのうちのいずれか１つである。コントローラ７００は、このようなウェブページのそれぞれのハイパテキスト転送プロトコル（Hyper Text Transfer Protocol、ＨＴＴＰ）アドレスの中の１つを使用してピング動作を実行し、ピング動作に対する応答が受信されるか否かに基づいてホストデバイス１００のデータレスモードが設定されるか否かを判定する。コントローラ７００は、ピング動作に対する応答が受信されない場合には、ホストデバイス１００を通した外部のデータネットワークの使用が遮断されることを意味し、これにより、コントローラ７００は、データレスモードが設定されると判定する。コントローラ７００は、ピング動作に対する応答が受信される場合には、ホストデバイス１００を通した外部のデータネットワークの使用が許容されることを意味し、これにより、コントローラ７００は、データレスモードが解除されると判定する。
【００６５】
他の例において、コントローラ７００は、ホストデバイス１００を通して予め定められた外部のネットワークサーバに対してピング動作を実行し、ピング動作に対する応答が受信されるか否かに基づいてホストデバイス１００のデータレスモードが設定されるか否かを判定する。予め定められた外部のネットワークサーバは、例えば、コモンキャリアにより指定された特定のサーバである。
【００６６】
もう１つの例において、コントローラ７００は、ホストデバイス１００からデータレスモードが設定されるか否かの通知を受け、この通知に基づいてホストデバイス１００のデータレスモードが設定されるか否かを判定する。このために、ホストデバイス１００は、データレスモードが設定されるか否かをクライアントデバイス１０２に通知する。このような通知動作は、クライアントデバイス１０２がホストデバイス１００に接続される時に実行される。
【００６７】
図５及び図６を参照して上述したように、外部のデータネットワークの許容される使用量が各クライアントデバイス又は各データ共有アプリケーションに設定される場合に、ホストデバイス１００は、クライアントデバイス１０２に対するデータレスモードが設定されるか又は解除される場合に、データレスモードが設定されるか否かをクライアントデバイス１０２に通知できる。ホストデバイス１００は、クライアントデバイス１０２に対する許容される使用量又は現在実行中であるデータ共有アプリケーションモードに対する許容される使用量をクライアントデバイス１０２に通知できる。また、ホストデバイス１００は、クライアントデバイス１０２に対する現在の使用量又は現在実行中であるデータ共有アプリケーションモードに対する現在の使用量をクライアントデバイス１０２に通知できる。クライアントデバイス１０２は、ホストデバイス１００により通知される許容される使用量及び使用量を、ディスプレイ７１０を通して表示することによりユーザに通知できる。使用量が許容される使用量に到達する前に、例えば、使用量が許容される使用量の８０％に到達する場合に、クライアントデバイス１０２は、ディスプレイ７１０を通して使用量に関するフレーズを表示することにより使用量をユーザに通知できる。
【００６８】
ステップ８０４において、データレスモードがホストデバイス１００に対して設定されると判定される場合に、コントローラ７００は、ステップ８０６において、無線データネットワークとの接続を維持する。したがって、データ共有アプリケーションのデータは、Ｗｉ−Ｆｉ部７０４を通してホストデバイス１００と共有されるが、インターネットへのアクセスのようなデータ通信は、無線通信部７０２を通した無線データネットワークを使用して実行される。この時に、データ共有アプリケーションのデータは、モバイルＡＰネットワーク１０４に接続され得る他のクライアントデバイスとも共有されてもよい。したがって、クライアントデバイス１０２がホストデバイス１００に接続されることによりデータ共有アプリケーションを使用する時に、ホストデバイス１００がデータレスモードに設定される場合に、クライアントデバイス１０２は、前に接続された無線データネットワークを通してインターネットへのアクセスを継続して行うことができる。
【００６９】
他方、ステップ８００において、現在の動作モードがデータ共有アプリケーションモードでないと判定される場合、又はステップ８０４において、データレスモードが解除されると判定される場合に、コントローラ７００は、ステップ８０８において、無線データネットワークとの接続を解除する。したがって、現在の動作モードがデータ共有アプリケーションモードであり、ホストデバイス１００のデータレスモードが解除される場合に、クライアントデバイス１０２は、ホストデバイス１００を通してデータ共有アプリケーション及び外部のデータネットワークを使用できる。
【００７０】
図８において、現在の動作モードがデータ共有アプリケーションモードであるか否か及びホストデバイス１００のデータレスモードが設定されるか否かを判定することにより、既存の無線データネットワークへのクライアントデバイス１０２の接続を維持するか又は解除する。しかしながら、本発明の実際の適用において、既存の無線データネットワークへのクライアントデバイス１０２の接続は、現在の動作モードがデータ共有アプリケーションモードであるか否か及びホストデバイス１００のデータレスモードが設定されるか否かのいずれか１つに基づいて維持されてもよく又は解除されてもよい。例えば、本発明の実際の適用においては、ステップ８０２及びステップ８０４が省略され、ステップ８００の後にステップ８０６又はステップ８０８が実行されてもよい。他方、ステップ８００が省略され、ステップ８０２からプロセスが開始されてもよい。
【００７１】
図９は、本発明の実施形態によるクライアントデバイスにおけるデータレスモード設定状態を示す図である。
【００７２】
図９を参照すると、参照符号９００は、データレスモードが解除される場合のモバイルＡＰ指示子を示し、参照符号９０２は、データレスモードが設定される場合のモバイルＡＰ指示子を示す。データレスモードが設定される場合に、モバイルＡＰ指示子９０２は、クライアントデバイス１０２がデータレスモードにあることを示すデータレスモードアイコン９０４を追加で含む。データレスモードアイコン９０４の形態又はカラーは、図９に示すものとは異なるように、具現化されてもよい。このような状態において、データレスモードが解除される場合に、モバイルＡＰ指示子９００のようにデータレスモードアイコン９０４が消える。したがって、クライアントデバイス１０２のユーザは、データレスモードが設定されるか否かを認識することができる。
【００７３】
ホストデバイス１００に対するデータレスモードの設定又は解除は、外部のデータネットワークへのホストデバイス１００の接続の状態に従って自動で実行される。例えば、ホストデバイス１００が無線データの使用に関して無制限のデータプランに加入されているか否かに基づいて、データレスモードが自動で設定されるか又は解除される。例えば、ホストデバイス１００が無制限のデータプランに加入されていない場合には、データレスモードが自動で設定される。他方、ホストデバイス１００が無制限のデータプランに加入されている場合には、データレスモードが自動で解除される。このように、ホストデバイス１００が無制限のデータプランに加入されているか否かに基づくデータレスモードの自動設定及び解除は、ホストデバイス１００が加入されたコモンキャリアにより実行される。また、ホストデバイス１００が無制限のデータプランに加入されているか否かに関する情報を確認することができる場合に、データレスモードの自動設定及び解除は、ホストデバイス１００が無制限のデータプランに加入されているか否かに従ってホストデバイス１００により実行される。
【００７４】
他の例において、図１を参照して説明したように、ホストデバイス１００が無線データネットワーク１０６だけでなく固定ＡＰに接続される場合に、データレスモードは、ホストデバイス１００が固定ＡＰに接続されるか否かに従って自動で設定されるか又は解除される。このような場合については、図１０乃至図１２を参照して説明する。
【００７５】
図１０は、本発明の他の実施形態によるモバイルＡＰネットワークの構成を示す図である。
【００７６】
図１０を参照すると、ホストデバイス１０００は、無線データネットワーク１０６だけでなく固定ＡＰ１００４にも接続される。ホストデバイス１０００は、図１のホストデバイス１００に対応する。固定ＡＰ１００４は、有線データネットワーク１００６に接続され、ＷＬＡＮのような無線近距離通信を通してホストデバイス１０００にも接続される。このような場合に、ＡＰモバイルネットワーク１００２に含まれたクライアントデバイス１０２は、ホストデバイス１０００を通して有線データネットワーク１００６も使用することができる。この時に、固定ＡＰ１００４を通した有線データネットワーク１００６もクライアントデバイス１０２が登録された無線データネットワーク以外の外部のデータネットワークに対応する。
【００７７】
図１１は、本発明の他の実施形態によるホストデバイスの構成を示すブロック図である。
【００７８】
図１１を参照すると、ホストデバイス１０００は、スマートフォンのような移動端末であり、コントローラ１１００、無線通信部１１０２、第１のＷｉ−Ｆｉ部１１０４、第２のＷｉ−Ｆｉ部１１０６、オーディオ部１１０８、メモリ１１１０、ディスプレイ１１１２、及びキー入力部１１１４を含む。
【００７９】
無線通信部１１０２は、無線データネットワーク１０６と無線データ通信を実行する。無線近距離通信部である第１のＷｉ−Ｆｉ部１１０４は、クライアントデバイス１０２を含む少なくとも１つのクライアントデバイスとＷｉ−Ｆｉ通信に基づくモバイルＡＰネットワークを形成する。無線近距離通信部である第２のＷｉ−Ｆｉ部１１０６は、Ｗｉ−Ｆｉ通信を通して固定ＡＰ１００４と接続される。オーディオ部１１０８は、スピーカのようなオーディオ出力デバイス、マイクロフォンのようなオーディオ入力デバイスを含み、ホストデバイス１０００の動作に伴う様々なオーディオ信号の入力及び出力を行う。メモリ１１００は、コントローラ１０００の動作のためのプログラムを記憶し、コントローラ１０００の動作に伴う様々なデータを記憶する。メモリ１１１０は、外部のメモリ及びＨＤＤのようなストレージデバイスをさらに含む。ディスプレイ１１１２は、コントローラ１１００の動作に伴う画像を表示する。キー入力部１１１４は、ユーザからのホストデバイス１１００の動作に必要な様々なキー入力をコントローラ１１００に提供する。キー入力部１１１４は、ディスプレイ１１１２上に設置されたタッチスクリーンパネルを含んでもよく、数字及び文字情報を入力するための複数のキー及び様々な機能を設定するための機能キーを含んでもよい。コントローラ１１００は、無線通信部１１０２、第１のＷｉ−Ｆｉ部１１０４、第２のＷｉ−Ｆｉ部１１０６、オーディオ部１１０８、メモリ１１１０、ディスプレイ１１１２、及びキー入力部１１１４を制御することにより、ホストデバイス１０００の様々な機能を実行する。コントローラ１１００を実現するために、一般的な移動端末の主制御部であるアプリケーションプロセッサは、外部のデータネットワークの使用を制御する機能を追加で実行できるようにすればよい。
【００８０】
図１２は、本発明のもう１つの実施形態によるホストデバイスのデータレスモード制御を示すフローチャートである。
【００８１】
図１２を参照すると、ホストデバイス１０００のコントローラ１１００は、ステップ１２００において、第２のＷｉ−Ｆｉ部１１０６を通して固定ＡＰ１００４に接続されるか否かを判定する。ホストデバイス１０００が固定ＡＰ１００４に接続されると判定される場合に、コントローラ１１００は、ステップ１２０２において、データレスモードを解除する。コントローラ１１００は、ステップ１２０４において、固定ＡＰ１００４との接続が解除されるか否かを判定する。固定ＡＰ１００４との接続が解除されると判定される場合に、コントローラ１１００は、ステップ１２０６においてデータレスモードを設定する。
【００８２】
このような点において、ホストデバイス１０００のデータレスモードの設定及び解除は、外部のデータネットワークへのホストデバイス１０００の接続の状態に従って自動で実行される。
【００８３】
移動端末は、外部のデータネットワークの使用を制御するためのプログラム（例えばアプリケーション）を遠隔地に位置したプログラム提供装置（例えば、サーバ）からダウンロードされるか又は設置され実行されることにより、外部のデータネットワークの使用を制御するためにこのプログラムを使用することができる。例えば、外部のデータネットワークの使用を制御するためのプログラムが移動端末にインストールされると、このプログラムは、移動端末で実行されることにより外部のデータネットワークの使用を制御できる。プログラム提供装置は、移動端末からのプログラムの送信リクエストに応じて又は自動でこのプログラムを移動端末に送信する。この時に、プログラム提供装置は、移動端末に対してサービス加入判定、ユーザ認証、及び決済情報確認などを追加で実行することができる。プログラム提供装置は、移動端末との有線又は無線通信を行う通信部と、このプログラムを記憶する記憶媒体と、通信部を通してこのプログラムを移動端末に送信する制御部とを含む。記憶媒体は、プログラム提供装置の内部又は外部に位置してもよい。
【００８４】
本発明の実施形態は、ハードウェア、ソフトウェア、又はハードウェア及びソフトウェアの組み合わせの形態で実現されることができる。このような任意のソフトウェアは、例えば、削除又は再起録が可能であるか否かに関係なく、ＲＯＭ、ＲＡＭなどの記憶装置のような揮発性又は不揮発性記憶装置、又は、例えば、メモリチップ、装置又は集積回路のようなメモリ、又は例えばＣＤ、ＤＶＤ、磁気ディスク又は磁気テープなどの光学的又は磁気的に記録可能であると同時に、機械（例えば、コンピュータ）で読み取ることができる記憶媒体に記憶することができる。したがって、本発明の様々な実施形態は、本願明細書の任意の請求項に記載された装置又は方法を実現するためのコードを含むプログラム及びこのようなプログラムを記憶する機械可読記憶装置を含む。また、このようなプログラムは、有線又は無線接続を通じて搬送される通信信号のような任意の媒体を通じて電子的に移送され、本発明の実施形態は、これと均等なものを適切に含む。
【００８５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【図１】
2014179982.tif 000003
【図２】
2014179982.tif 000004
【図３】
2014179982.tif 000005
【図４】
2014179982.tif 000006
【図５】
2014179982.tif 000007
【図６】
2014179982.tif 000008
【図７】
2014179982.tif 000009
【図８】
2014179982.tif 000010
【図９】
2014179982.tif 000011
【図１０】
2014179982.tif 000012
【図１１】
2014179982.tif 000013
【図１２】
2014179982.tif 000014